(57)【要約】【課題】所望の形状で施工性良く取り付けが可能な建材、建材ユニット、及び建材施工方法を提供する。【解決手段】タイル１０は、タイル本体３０と、タイル本体３０の裏面Ｓ２に設けられた磁性層４０と、磁性層４０に着脱自在に磁着可能な磁石５０と、を備えている。タイル１０の施工方法は、裏面Ｓ２に磁性層４０が設けられたタイル本体３０を切断する切断工程と、磁石５０を磁性層４０へ磁着させる磁着工程と、壁面Ｗに磁石５０を磁着させてタイル本体３０を壁面Ｗに取り付ける取付工程と、を含む。【選択図】図１
2019210749.tif 000002
【特許請求の範囲】
【請求項１】
建材本体と、
前記建材本体の裏面に設けられた磁性層と、
前記磁性層に着脱自在に磁着する磁石と、
を備える建材。
【請求項２】
請求項１に記載の建材と、
壁面に設けられて、前記磁石が磁着することで前記建材が前記壁面に取り付けられる磁性シートと、
を有する建材ユニット。
【請求項３】
裏面に磁性層が設けられた建材本体を切断する切断工程と、
磁石を前記磁性層へ磁着させる磁着工程と、
壁面に前記磁石を磁着させて前記建材本体を前記壁面に取り付ける取付工程と、
を含む建材施工方法。
【発明の詳細な説明】
【技術分野】
【０００１】
本発明は建材、建材ユニット、及び建材施工方法に関するものである。
【背景技術】
【０００２】
特許文献１に開示される建材は、タイルとして構成され、薄板状の成形体と、成形体の裏面に設けられる磁性板と、を備えている。磁性板は、円形状であり、成形体の裏面の四隅部に、接着剤や両面粘着テープを介して固着されている。このタイルは、壁面に設けられた鉄板に磁性板を吸着させることで、壁面に取り付けられる。そして、このような同一形状の複数のタイルが、壁面に並べて取り付けられる。
【先行技術文献】
【特許文献】
【０００３】
【特許文献１】特開平９−１１１９９７号公報
【発明の概要】
【発明が解決しようとする課題】
【０００４】
特許文献１のタイルは、例えば、壁面上の所定の取付範囲を埋めるように、所定の規格サイズで並べて取り付けられる。このような場合、取付範囲の隅部分のように、タイルを規格サイズよりも小さい領域に取り付ける必要が生じ得る。そこで、タイルを切断することが考えられるが、切断後の形状によっては、タイルの裏面における磁石の配置バランスが悪くなってしまう。これにより、タイルの取付強度が低下し、施工性が悪化する虞がある。
【０００５】
本発明は、上記従来の実情に鑑みてなされたものであって、所望の形状で施工性良く取り付けが可能な建材、建材ユニット、及び建材施工方法を提供することを解決すべき課題としている。
【課題を解決するための手段】
【０００６】
本発明の建材は、
建材本体と、
前記建材本体の裏面に設けられた磁性層と、
前記磁性層に着脱自在に磁着する磁石と、
を備える。
【０００７】
この建材は、建材本体の裏面に設けられた磁性層に磁石が着脱自在になっている。そのため、磁石が磁着していない状態で、磁性層とともに建材本体を切断することで、建材本体を所望の大きさにすることができる。例えば、建材は、壁面上の所定の取付範囲を埋めるように、所定の規格サイズで並べて取り付けられる。そのため、建材は、規格サイズよりも小さい領域に取り付ける必要が生じ得る。この場合に、建材本体は、切断などによってサイズを調整し、所望の大きさにすることができる。その上で、切断された建材本体は、その形状に応じた配置で磁石を磁性層に磁着させることができる。また、切断された建材本体は、その形状に応じた形態や磁力を有する磁石を、磁性層に磁着させることができる。したがって、建材は、所望の形状で施工性良く取り付けが可能になる。
【０００８】
また、本発明の建材ユニットは、
上記建材と、
壁面に設けられて、前記磁石が磁着することで前記建材が前記壁面に取り付けられる磁性シートと、
を有する。
【０００９】
この建材ユニットは、上記建材と同様に、建材本体を切断などによってサイズを調整し、所望の大きさにすることができる。その上で、切断された建材本体は、その形状に応じた配置で磁石を磁性層に磁着させることや、その形状に応じた形態や磁力を有する磁石を、磁性層に磁着させることができる。そして、壁面に設けられた磁性シートに磁石を磁着させることで、建材を壁面に所望の形状で施工性良く取り付けることができる。
【００１０】
また、本発明の建材施工方法は、
裏面に磁性層が設けられた建材本体を切断する切断工程と、
磁石を前記磁性層へ磁着させる磁着工程と、
壁面に前記磁石を磁着させて前記建材本体を前記壁面に取り付ける取付工程と、
を含む。
【００１１】
本発明の建材施工方法は、裏面に磁性層が設けられた建材本体を切断する切断工程を含む。そのため、建材本体は、裏面に磁性層が設けられた状態で、所望の大きさにすることができる。例えば、建材は、壁面上の所定の取付範囲を埋めるように、所定の規格サイズで並べて取り付けられる。そのため、建材は、規格サイズよりも小さい領域に取り付ける必要が生じ得る。この場合に、建材本体は、切断などによってサイズを調整し、所望の大きさにすることができる。そして、建材施工方法は、磁石を磁性層へ磁着させる磁着工程を含む。これにより、切断した建材本体は、その形状に応じた配置で磁石を磁性層に磁着させることができる。また、切断された建材本体は、その形状に応じた形態や磁力を有する磁石を、磁性層に磁着させることができる。さらに、建材施工方法は、壁面に磁石を磁着させて建材本体を壁面に取り付ける取付工程を含む。そのため、この建材施工方法は、建材本体に対して適切な配置で設けられた磁石を用いて、壁面に建材を施工性良く取り付けることができる。
【図面の簡単な説明】
【００１２】
【図１】（Ａ）は、実施例１のタイルの表面側から見た斜視図であり、（Ｂ）は、裏面側から見た斜視図である。
【図２】実施例１のタイルの施工工程を説明する説明図であり、（Ａ）は、磁性層の形成工程の説明図であり、（Ｂ）は、取付部材の切断工程の説明図である。
【図３】図２に続くタイルの施工工程を説明する説明図であり、（Ａ）は、取付部材に対する磁石の磁着工程の説明図であり、（Ｂ）は、壁面へのタイルの取付工程の説明図である。
【発明を実施するための形態】
【００１３】
次に、本発明の建材を具体化した実施例について、図面を参照しつつ説明する。
【００１４】
＜実施例１＞
図１に示す実施例１のタイル１０（請求項の「建材」に相当）は、住宅等の建築物に用いられる内装材である。タイル１０は、建築物における壁の下地や、屋内の床の下地などに取り付けられる。なお、以下の説明において、左右の方向については、図にあらわれる向きを、そのまま左方、右方と定義する。上下の方向については、図にあらわれる向きを、そのまま上方、下方と定義する。
【００１５】
以下、壁面に取り付けられるタイル１０について説明する。タイル１０は、図１に示すように、取付部材２０、および磁石５０を備えている。壁面は、下地に磁性シート６０（鉄などの磁性部材を含むシート部材、図３（Ｂ）参照）が設けられている。タイル１０は、壁面に対して、磁石５０が磁着することで取り付けられる。ここで、磁石５０の磁着とは、磁石５０が自らの磁力によって被磁着物（シート部材）に引き付けられて吸着されることである。なお、タイル１０と、磁性シート６０と、によってタイルユニット１００（請求項の「建材ユニット」に相当）が構成される。
【００１６】
取付部材２０は、タイル本体３０（請求項の「建材本体」に相当）、および磁性層４０を有している。タイル本体３０は、例えば、微細な孔を有する多孔質セラミックスによって構成されている。タイル本体３０は、孔に空気中の湿気を入らせて吸収したり、湿気を放出したりして、湿度を変化させる機能を有する。
【００１７】
タイル本体３０は、図１に示すように、平面視で正方形の板状である。タイル本体３０は、表面Ｓ１が装飾面であり、裏面Ｓ２が平らな面である。タイル本体３０は、例えば、表面Ｓ１に釉薬を施し、焼成して装飾面とすることができる。
【００１８】
磁性層４０は、図１（Ｂ）に示すように、タイル本体３０の裏面Ｓ２に設けられている。磁性層４０は、例えば、磁性部材（鉄など）、および樹脂（硬化性のある樹脂）などを含む層である。磁性層４０は、タイル本体３０の裏面Ｓ２に塗布された磁性塗料（鉄粉を含んだ塗料）が、硬化することで形成されている。磁性層４０は、タイル本体３０の裏面Ｓ２上において、平面視で正方形である。
【００１９】
磁石５０は、一般的な永久磁石である。磁石５０は、磁性層４０に着脱自在に磁着する。磁石５０は、図１（Ｂ）に示すように、長尺の帯板状である。磁石５０は、長尺方向の長さが、タイル本体３０の一側の縁の長さより僅かに短い。磁石５０は、タイル本体３０の裏面Ｓ２において、磁性層４０に磁着している。図１（Ｂ）では、３つの磁石５０が、タイル本体３０に取り付けられている。３つの磁石５０は、すべてが上下方向に沿って平行となるようにタイル本体３０に配置されている。各磁石５０は、左右方向の中央位置、左側の端部よりも僅かに右側の位置、および右側の端部よりも僅かに左側の位置に配置されている。そのため、磁石５０は、タイル本体３０の裏面Ｓ２において、中央部分、および四隅部分に位置している。これにより、タイル１０は、磁石５０が取付部材２０に対してバランス良く配置されるため、壁面に対する密着力を高めることができる。
【００２０】
以上のように構成されるタイル１０は、磁石５０が磁性層４０に磁着していない状態では、磁石５０を切断する必要がないため、取付部材２０の切断を容易に行うことができる。また、磁性層４０は、塗料が塗布された層であるため、切断が容易である。すなわち、磁性層４０とともにタイル本体３０を容易に切断することができる。これにより、取付部材２０は、所望の大きさに加工することができる。その上で、切断された取付部材２０Ａ（図２（Ｂ）、図３（Ａ）参照）は、その形状に応じた配置で磁石５０Ａを磁性層４０Ａに磁着させることができる。また、切断された取付部材２０Ａは、その形状に応じた形態や磁力を有する磁石５０Ａを、磁性層４０Ａに磁着させることができる。さらに、取付部材２０は、磁石５０を容易に分離できるため、廃棄が容易になる。同様に、切断された取付部材２０Ａは、磁石５０Ａを容易に分離できるため、廃棄が容易になる。
【００２１】
次に、タイル１０の壁面への施工方法（請求項の「建材施工方法」に相当）について、図２、図３を用いて説明する。図３（Ｂ）に示すように、壁面Ｗにおける取付範囲ＷＡ１の全体に、規格サイズの複数のタイル１０を並べて取り付ける場合について説明する。なお、取付範囲ＷＡ１には、例えば、壁面Ｗの下地として磁性シート６０（鉄などの磁性部材を含むシート部材）が設けられている。
【００２２】
まず、図２（Ａ）に示すように、取付部材２０（裏面Ｓ２に磁性層４０が設けられたタイル本体３０）を準備する。タイル本体３０の裏面Ｓ２に磁性塗料を塗布し、硬化させる。磁性塗料は、磁性部材（鉄など）、および樹脂（硬化性のある樹脂）などを含んでいる。このようにして、磁性部材を含む磁性層４０が形成される。
【００２３】
図３（Ｂ）に示すように、取付範囲ＷＡ１においてサイズが制限されないタイル１０（左側、および中央のタイル１０）は、取付部材２０を切断することなく、図１に示す状態で壁面Ｗに取り付けることができる。
【００２４】
続いて、図３（Ｂ）に示すタイル１０よりもサイズの小さい取付範囲ＷＡ２に、タイル１０Ａを施工する工程について説明する。規格サイズのタイル１０は、複数のものを所定サイズの領域に並べて配置する場合、規格サイズよりも小さい領域（取付範囲ＷＡ２）に取り付ける必要が生じ得る。図２（Ｂ）に示すように、取付範囲ＷＡ２に適正に収まるように取付部材２０を切断する（請求項の「切断工程」に相当）。取付部材２０は、左右方向の中央よりも右寄りの位置で、上下方向に沿って切断される。取付部材２０は、取付部材２０Ａ、および取付部材２０Ｂに分割される。取付部材２０Ａは、タイル本体３０Ａ、および磁性層４０Ａを備えている。このように、タイル本体３０は、切断などによってサイズを調整し、所望の大きさにすることができる。
【００２５】
続いて、図３（Ａ）に示すように、磁石５０Ａを磁性層４０Ａへ磁着させ、タイル１０Ａを形成する（請求項の「磁着工程」に相当）。切断されたタイル本体３０Ａは、その形状に応じた配置で磁石５０Ａを磁性層４０Ａに磁着させることができる。例えば、タイル１０に用いた磁石５０と同様の構成の磁石５０Ａを磁性層４０Ａに磁着させる。３つの磁石５０Ａを、すべてが上下方向に沿って平行となるようにタイル本体３０Ａの裏面ＳＡ２に配置する。各磁石５０Ａを、左右方向の中央位置、左側の端部よりも僅かに右側の位置、および右側の端部よりも僅かに左側の位置に配置する。これにより、磁石５０Ａは、タイル本体３０Ａの裏面Ｓ２において、中央部分、および四隅部分に位置することになる。このように、タイル１０Ａは、磁石５０Ａが取付部材２０Ａに対してバランス良く配置されるため、壁面Ｗに対する密着力を高めることができる。
【００２６】
従来のように、タイルに直接磁石を固定するような構成では、取付範囲に合わせて切断した際に、タイルの裏面において広い範囲で磁石が位置しない部分（例えば、右半分の領域など）が生じ得る。このような場合、タイルの壁面への密着力が低下する。しかしながら、本実施例の構成では、磁石５０Ａの配置を調整可能であるため、タイルの裏面において磁石が位置しない部分が広い範囲に生じることを防ぐことができ、磁石をバランス良く配置して密着力を高めることができる。
【００２７】
続いて、図３（Ｂ）に示すように、壁面Ｗに磁石５０Ａを磁着させて、タイル１０Ａを壁面Ｗの取付範囲ＷＡ２に取り付ける（請求項の「取付工程」に相当）。これにより、取付範囲ＷＡ１において、左右方向に規格サイズの複数のタイル１０を、サイズ調整をしつつ並べて取り付けることができる。なお、タイル１０は、３つの磁石５０すべてが上下方向に沿って平行となるように壁面Ｗに取り付けられる。この構成によって、下方から上方に向かう空気が、磁石５０の間のすき間を通過し易くなり、湿度を調整し易くなる。また、タイル１０Ａについても同様の効果を奏する。
【００２８】
タイル１０は、取付範囲ＷＡ１において、その他の領域も同様にしてサイズ調整をしつつ並べて取り付けることができる。このようにして、壁面にタイル１０を施工性良く取り付けることができる施工方法を実現することができる。
【００２９】
以下、本構成の効果を例示する。
実施例１のタイル１０は、タイル本体３０の裏面Ｓ２に設けられた磁性層４０に磁石５０が着脱自在になっている。そのため、磁石５０が磁着していない状態で、磁性層４０とともにタイル本体３０を切断することで、タイル本体３０を所望の大きさにすることができる。例えば、タイル１０は、壁面Ｗ上の所定の取付範囲を埋めるように、所定の規格サイズで並べて取り付けられる。そのため、タイル１０は、規格サイズよりも小さい領域に取り付ける必要が生じ得る。この場合に、タイル本体３０は、切断などによってサイズを調整し、所望の大きさにすることができる。その上で、切断されたタイル本体３０は、その形状に応じた配置で磁石５０を磁性層４０に磁着させることができる。また、切断されたタイル本体３０は、その形状に応じた形態や磁力を有する磁石５０を、磁性層４０に磁着させることができる。したがって、タイル１０は、所望の形状で施工性良く取り付けが可能になる。
【００３０】
また、実施例１の建材ユニット１００は、上記タイル１０と同様に、タイル本体３０を切断などによってサイズを調整し、所望の大きさにすることができる。その上で、切断されたタイル本体３０は、その形状に応じた配置で磁石５０を磁性層４０に磁着させることや、その形状に応じた形態や磁力を有する磁石５０を、磁性層４０に磁着させることができる。そして、壁面Ｗに設けられた磁性シート６０に磁石５０を磁着させることで、タイル１０を壁面Ｗに所望の形状で施工性良く取り付けることができる。
【００３１】
また、実施例１のタイル施工方法は、裏面Ｓ２に磁性層４０が設けられたタイル本体３０を切断する切断工程を含む。そのため、タイル本体３０は、裏面Ｓ２に磁性層４０が設けられた状態で、所望の大きさにすることができる。例えば、タイル１０は、壁面Ｗ上の所定の取付範囲を埋めるように、所定の規格サイズで並べて取り付けられる。そのため、タイル１０は、規格サイズよりも小さい領域に取り付ける必要が生じ得る。この場合に、タイル本体３０は、切断などによってサイズを調整し、所望の大きさにすることができる。そして、タイル施工方法は、磁石５０を磁性層４０へ磁着させる磁着工程を含む。これにより、切断したタイル本体３０は、その形状に応じた配置で磁石５０を磁性層４０に磁着させることができる。また、切断されたタイル本体３０は、その形状に応じた形態や磁力を有する磁石５０を、磁性層４０に磁着させることができる。さらに、タイル１０施工方法は、壁面Ｗに磁石５０を磁着させてタイル本体３０を壁面Ｗに取り付ける取付工程を含む。そのため、このタイル施工方法は、タイル本体３０に対して適切な配置で設けられた磁石５０を用いて、壁面Ｗにタイル１０を施工性良く取り付けることができる。
【００３２】
本発明は上記記述及び図面によって説明した実施例に限定されるものではなく、例えば次のような実施例も本発明の技術的範囲に含まれる。
（１）実施例１では、切断されたタイル本体３０Ａに対して、その形状に応じた配置で磁石５０Ａを磁性層４０Ａに磁着させた。このとき用いる磁石は、切断されたタイル本体３０Ａの形状に応じた形態や磁力を有してもよい。
（２）実施例１では、タイル本体３０は、平面視で正方形の板状であったが、複数のタイルが連結して１つの一体的なタイルを構成してもよい。例えば、１つのシートに複数のタイル片（裏面に磁性層を有するタイル片）の裏面が接着されて、１つの一体的なタイルが構成されてもよい。このシートは、網目状になっており、隣接するタイル片の間に切り込みを入れて切断することで、所望のサイズのタイルを容易に形成することができる。
（３）実施例１では、タイル本体３０は、多孔質セラミックスによって構成されていたが、その他の材質で構成されてもよい。例えば、タイル本体３０は、陶磁器、ガラス、合成樹脂、金属、石、木、および竹など、材質が用途に応じて適宜選択される。また、タイル本体３０は、表面に釉薬を施して焼成したが、必ずしも釉薬は必要ではない。
（４）実施例１では、タイル本体３０，３０Ａの形状は、平面視で正方形であったが、特に限定されない。例えば、タイル本体３０，３０Ａの形状は、長方形、円形、楕円形などの任意の形状とすることができる。また、これら複数形状を組み合わせてもよい。
（５）実施例１では、壁面Ｗは、下地に磁性シート６０が設けられていたが、磁石が磁着可能であれば、その他の構成であってもよい。
（６）実施例１では、タイルは、３つの磁石すべてが上下方向に沿って平行となるようにタイル本体に取り付けられていたが、その他の配置にしてもよい。例えば、タイルは、裏面の四隅のみに磁石が配置されてもよい。
（７）実施例１では、タイルを壁面に取り付ける工程において、隣接するタイルの側端同士を連結する目地を設けてもよい。
（８）実施例１では、磁性層４０は、タイル本体３０に磁性塗料を塗布して形成したが、磁性部材（鉄など）によって構成されたシート状の磁性シートを接着剤を介してタイル本体３０に張り付けて形成してもよい。
（９）実施例１では、タイル１０が住宅等の建築物に用いられる内装材である例を示したが、外装材（建築物の外壁等に用いられる建材）であってもよい。
【符号の説明】
【００３３】
１０，１０Ａ…タイル（建材）
３０，３０Ａ…タイル本体（建材本体）
４０，４０Ａ…磁性層
５０，５０Ａ…磁石
Ｓ２，ＳＡ２…裏面
Ｗ…壁面
【図１】
2019210749.tif 000003
【図２】
2019210749.tif 000004
【図３】
2019210749.tif 000005